(57)【要約】      （修正有）【課題】反射もしくは蓄光性を備えながら、デザイン性が高く、汚れ又は傷等の発生を抑制し、破損の可能性が低いファスナーチェーン及びスライドファスナーを提供する。【解決手段】ファスナーチェーン２は、テープ主体部に、隣り合う経糸の間隔と隣り合う緯糸の間隔の両方が、エレメント取付部１１における、隣り合う経糸の間隔と隣り合う緯糸の間隔よりも大きい間隙部、あるいは、隣り合う編糸の間隔と隣り合う編糸にそれぞれ交差する挿入糸が存在する編目間部分の間隔の両方が、エレメント取付部における、隣り合う編糸の間隔と隣り合う編糸にそれぞれ交差する挿入糸が存在する編目間部分の間隔よりも大きい間隙部、を含むメッシュ部１３が設けられ、メッシュ部１３の裏側に光反射材あるいは蓄光材６０を配置することを特徴とする。【選択図】図１
0003204942.tif 000002
【実用新案登録請求の範囲】
【請求項１】
織成あるいは編成により形成される一対のファスナーテープ（１０）と、
前記各ファスナーテープ（１０）に所定のピッチ毎にそれぞれ取り付けられた複数のファスナーエレメント（２０）と、
を備え、
前記ファスナーテープ（１０）は、
前記一対のファスナーテープ（１０）の対向側縁部に沿って前記ファスナーエレメント（２０）が取り付けられるエレメント取付部（１１，１１１）と、
テープ主体部（１５，１１５）と、
を有し、
前記テープ主体部（１５，１１５）には、
隣り合う経糸（１０ａ）の間隔と隣り合う緯糸（１０ｂ）の間隔の両方が、前記エレメント取付部（１１）における、隣り合う経糸（１０ａ）の間隔と隣り合う緯糸（１０ｂ）の間隔よりも大きい間隙部（１３ａ）、
あるいは、
隣り合う編糸（１２５）の間隔と前記隣り合う編糸（１２５）にそれぞれ交差する挿入糸（１２６〜１３８）が存在する編目間部分（１１４）の間隔の両方が、前記エレメント取付部（１１１）における、隣り合う編糸（１２５）の間隔と前記隣り合う編糸（１２５）にそれぞれ交差する挿入糸（１２６〜１３８）が存在する編目間部分（１１４）の間隔よりも大きい間隙部（１１３ａ）、
を含むメッシュ部（１３，１１３）が設けられ、
前記メッシュ部（１３，１１３）の裏側に光反射材あるいは蓄光材（６０）を配置する
ことを特徴とするファスナーチェーン（２）。
【請求項２】
前記テープ主体部（１５，１１５）は、生地に取り付けられる生地取付部（１２，１１２）を有し、
前記メッシュ部（１３，１１３）は、前記エレメント取付部（１１，１１１）と前記生地取付部（１２，１１２）の間に設けられる
ことを特徴とする請求項１に記載のファスナーチェーン（２）。
【請求項３】
前記光反射材あるいは蓄光材（６０）は、前記メッシュ部（１３，１１３）の全体にわたって配置する
ことを特徴とする請求項１又は請求項２に記載のファスナーチェーン（２）。
【請求項４】
前記ファスナーテープ（１０）の前記テープ主体部（１５）は、二股に分岐する分岐部（１４）を有し、
前記分岐部（１４）は、表側テープ部（１４ａ）と裏側テープ部（１４ｂ）を有し、
前記表側テープ部（１４ａ）は、前記メッシュ部（１３）を有する
ことを特徴とする請求項１乃至請求項３のいずれか１つに記載のファスナーチェーン（２）。
【請求項５】
前記表側テープ部（１４ａ）は、生地に取り付けられる表側生地取付部（１２ａ）を有し、
前記メッシュ部（１３）は、前記エレメント取付部（１１）と前記表側生地取付部（１２ａ）の間に設けられる
ことを特徴とする請求項４に記載のファスナーチェーン（２）。
【請求項６】
前記裏側テープ部（１４ｂ）は、前記メッシュ部（１３）を有する
ことを特徴とする請求項４又は請求項５に記載のファスナーチェーン（２）。
【請求項７】
前記裏側テープ部（１４ｂ）は、生地に取り付けられる裏側生地取付部（１２ｂ）を有し、
前記メッシュ部（１３）は、前記エレメント取付部（１１）と前記裏側生地取付部（１２ｂ）の間に設けられる
ことを特徴とする請求項６に記載のファスナーチェーン（２）。
【請求項８】
前記光反射材あるいは蓄光材（６０）は、前記裏側テープ部（１４ｂ）に取り付けられる
ことを特徴とする請求項４乃至請求項７のいずれか１つに記載のファスナーチェーン（２）。
【請求項９】
請求項１乃至請求項８のいずれか１つに記載のスライドファスナーチェーン（２）と、
前記ファスナーテープ（１０）の長手方向に沿うエレメント列の長手方向の両端に固定される止具（４０，５０）と、
前記ファスナーエレメント（２０）を噛合又は分離させるために移動自在なスライダー（３０）と、
を備える
ことを特徴とするスライドファスナー（１）。
【考案の詳細な説明】
【技術分野】
【０００１】
本考案は、光を反射するファスナーチェーン及びスライドファスナーに関する。
【背景技術】
【０００２】
従来、ファスナーテープの表側に光反射材を露出して設け、照射された光を反射するスライドファスナーが開示されている（特許文献１）。また、光を反射する素材を用いて反射材をファスナーテープに編み込み、照射された光を反射するスライドファスナーが開示されている（特許文献２）。
【先行技術文献】
【特許文献】
【０００３】
【特許文献１】実用新案登録第３０７６８５８号公報
【特許文献２】特許第３５２６３９０号公報
【考案の概要】
【考案が解決しようとする課題】
【０００４】
しかしながら、特許文献１及び２に記載されたスライドファスナーは、反射材がファスナーテープの最も表側に位置し、外部に露出している。したがって、製品に取り付けた反射材が日中に目立ってしまい、デザイン性が損なわれてしまう。また、他の物質と接触する頻度が高くなり、汚れ又は傷等が発生しやすく、破損する可能性があった。
【０００５】
本考案は、反射もしくは蓄光性を備えながら、デザイン性が高く、汚れ又は傷等の発生を抑制し、破損の可能性が低いファスナーチェーン及びスライドファスナーを提供することを目的とする。
【課題を解決するための手段】
【０００６】
本考案の一実施形態にかかるファスナーチェーンは、
織成あるいは編成により形成される一対のファスナーテープと、
各ファスナーテープに所定のピッチ毎にそれぞれ取り付けられた複数のファスナーエレメントと、
を備え、
ファスナーテープは、
前記一対のファスナーテープの対向側縁部に沿って前記ファスナーエレメントが取り付けられるエレメント取付部と、
テープ主体部と、
を有し、
前記テープ主体部には、
隣り合う経糸の間隔と隣り合う緯糸の間隔の両方が、エレメント取付部における、隣り合う経糸の間隔と隣り合う緯糸の間隔よりも大きい間隙部、
あるいは、
隣り合う編糸の間隔と前記隣り合う編糸にそれぞれ交差する挿入糸が存在する編目間部分の間隔の両方が、前記エレメント取付部における、隣り合う編糸の間隔と前記隣り合う編糸にそれぞれ交差する挿入糸が存在する編目間部分の間隔よりも大きい間隙部、
を含むメッシュ部が設けられ、
メッシュ部の裏側に光反射材あるいは蓄光材を配置する
ことを特徴とする。
【０００７】
本考案の一実施形態にかかるファスナーチェーンは、
前記テープ主体部は、生地に取り付けられる生地取付部を有し、
前記メッシュ部は、前記エレメント取付部と前記生地取付部の間に設けられる
ことを特徴とする。
【０００８】
本考案の一実施形態にかかるファスナーチェーンは、
前記光反射材あるいは蓄光材は、前記メッシュ部の全体にわたって配置する
ことを特徴とする。
【０００９】
本考案の一実施形態にかかるファスナーチェーンは、
前記ファスナーテープの前記テープ主体部は、二股に分岐する分岐部を有し、
前記分岐部は、表側テープ部と裏側テープ部を有し、
前記表側テープ部は、前記メッシュ部を有する
ことを特徴とする。
【００１０】
本考案の一実施形態にかかるファスナーチェーンは、
前記表側テープ部は、生地に取り付けられる表側生地取付部を有し、
前記メッシュ部は、前記エレメント取付部と前記表側生地取付部の間に設けられる
ことを特徴とする。
【００１１】
本考案の一実施形態にかかるファスナーチェーンは、
前記裏側テープ部は、前記メッシュ部を有する
ことを特徴とする。
【００１２】
本考案の一実施形態にかかるファスナーチェーンは、
前記裏側テープ部は、生地に取り付けられる裏側生地取付部を有し、
前記メッシュ部は、前記エレメント取付部と前記裏側生地取付部の間に設けられる
ことを特徴とする。
【００１３】
本考案の一実施形態にかかるファスナーチェーンは、
前記光反射材あるいは蓄光材は、前記裏側テープ部に取り付けられる
ことを特徴とする。
【００１４】
本考案の一実施形態にかかるスライドファスナーは、
前記スライドファスナーチェーンと、
前記ファスナーテープの長手方向に沿うエレメント列の長手方向の両端に固定される止具と、
前記ファスナーエレメントを噛合又は分離させるために移動自在なスライダーと、
を備える
ことを特徴とする。
【考案の効果】
【００１５】
本考案のファスナーチェーン及びスライドファスナーによれば、反射もしくは蓄光性を備えながら、デザイン性が高く、汚れ又は傷等の発生を抑制し、破損の可能性を低くすることができる。
【図面の簡単な説明】
【００１６】
【図１】本考案にかかる第１実施形態のファスナーチェーンを使用したスライドファスナーを示す。
【図２】図１のＡ−Ａ断面を示す。
【図３】第１実施形態のファスナーテープの織構造を示す。
【図４】本考案にかかる第２実施形態のファスナーチェーンを使用したスライドファスナーの断面を示す。
【図５】本考案にかかる第３実施形態のファスナーチェーンを使用したスライドファスナーの断面を示す。
【図６】本考案にかかるスライドファスナーを生地に取り付ける構造の一例を示す。
【図７】本考案にかかるスライドファスナーを生地に取り付ける構造の他の例を示す。
【図８】編成により形成されるファスナーテープの編構造を示す。
【図９】図８に示した編構造を得るための各編成糸条の編み組織を示す。
【考案を実施するための形態】
【００１７】
以下、図面に基づき本考案にかかる一実施形態のスライドファスナーを具体的に説明する。
【００１８】
図１は、本考案にかかる第１実施形態のファスナーチェーン２を使用したスライドファスナー１を示す。図２は、図１のＡ−Ａ断面を示す。
【００１９】
本実施形態のスライドファスナー１は、左右一対の織成されたファスナーテープ１０と、各ファスナーテープ１０の幅方向における対向側縁部に、長手方向に沿って所定のピッチ毎にそれぞれ取り付けられた左右一対の複数のファスナーエレメント２０と、ファスナーエレメント２０を噛合及び噛合解除するためのスライダー３０と、ファスナーテープ１０の長手方向に沿うエレメント列の長手方向両端に設けられ、スライダー３０の長手方向一方及び他方への移動の限界を規定する金属又は樹脂製の上止４０及び開離嵌挿具５０とを備える。なお、対向側縁部とは、組を為すファスナーテープ１０の一方の側縁であって、他方のファスナーテープ１０の側縁に対向する部分である。エレメント列は、ファスナーテープ１０の幅方向における対向側縁部に、長手方向に沿って一定間隔で設けられる複数のファスナーエレメント２０から構成される。上止４０と開離嵌挿具５０は、止具を構成する。
【００２０】
ここで、各ファスナーテープ１０の幅方向とは、長手方向に垂直、且つ、ファスナーテープ１０が存在する平面に平行な方向とする。また、ファスナーテープ１０に関して、表側とは図１の紙面に対して手前側、裏側とは図１の紙面に対して奥側とする。ファスナーテープの表裏面とは、ファスナーテープが存在する平面であって、その表側を表面、その裏側を裏面とする。
【００２１】
なお、ファスナーチェーン２は、左右のファスナーストリンガー３を有する。ファスナーストリンガー３は、ファスナーテープ１０にファスナーエレメント２０、上止４０及び開離嵌挿具５０を取り付けたものである。なお、開離嵌挿具５０に代えて下止を取り付けてもよい。スライドファスナー１は、ファスナーチェーン２のファスナーエレメント２０を噛合及び分離するスライダー３０を備えたものである。
【００２２】
ファスナーエレメント２０は、対向する相手側の同ファスナーエレメント２０と噛合する噛合頭部２１と、噛合頭部２１から幅方向に延びる上脚部２２及び下脚部２４と、その脚部を繋ぐ反転部２３と、を有し、それらに囲まれる内部空間が形成される。この内部空間内には、ファスナーテープ１０の長手方向に沿って１本の芯紐１０ｃが配置されている。この芯紐１０ｃは、ファスナーエレメント２０と共に、ファスナーテープ１０の対向側縁部に縫い糸により縫着される。各部は、ポリエステル、ポリアミド等の熱可塑性合成樹脂製のモノフィラメントをコイル状に屈曲加工等して連続的に形成される。なお、ファスナーエレメント２０は、金属製でもよい。
【００２３】
スライダー３０は、上翼部３１、下翼部３２等からなるスライダー本体３０ａと、上翼部３１上に固定されたカバー部材３３と、カバー部材３３に対し回動可能に連結された引手３４と、を含む。
【００２４】
上止４０は、左右のファスナーテープ１０におけるファスナーエレメント２０のエレメント列の長手方向一方端に取り付けられる左右の上止部材４１からなる。開離嵌挿具５０は、左右のファスナーテープ１０におけるファスナーエレメント２０のエレメント列の長手方向他方端に取り付けられる箱棒５１及び蝶棒５２と、箱棒５１と一体化され蝶棒５２を挿入可能な箱体５３と、からなる。
【００２５】
蝶棒５２を箱体５３に挿入することによって、左右のファスナーストリンガー３の開離嵌挿具５０が形成される側の端部が連結される。その後、使用者が引手３４を持ってスライダー本体３０ａを、開離嵌挿具５０から上止４０の方向へ移動させることにより、左右のファスナーエレメント２０の噛合頭部２１が噛み合って左右のファスナーストリンガー３が連結する。
【００２６】
また、使用者が引手３４を持ってスライダー本体３０ａを、上止４０から開離嵌挿具５０の方向へ移動させることにより、左右のファスナーエレメント２０の噛合頭部２１が分離する。その後、蝶棒５２を箱体５３から引き抜くことによって、左右のファスナーストリンガー３の開離嵌挿具５０が形成される側の端部が形成される側の端部が分離される。
【００２７】
ファスナーテープ１０は、幅方向において、その対向側縁部にファスナーエレメント２０が取り付けられるエレメント取付部１１と、エレメント取付部１１よりも対向側縁部とは反対側に位置するテープ主体部１５と、を有する。テープ主体部１５は、生地が取り付けられる生地取付部１２と、エレメント取付部１１と生地取付部１２よりも編み目の間隔が大きいメッシュ部１３と、を有する。メッシュ部１３は、エレメント取付部１１と生地取付部１２の間に形成される。生地取付部１２は、ファスナーテープ１０の対向側縁部とは反対側の端部に形成される。なお、テープ主体部１５は、メッシュ部１３のみで構成されても構わない。
【００２８】
図３は、第１実施形態のファスナーテープ１０の織構造を示す。
【００２９】
第１実施形態のファスナーテープ１０は、長手方向に沿う経糸１０ａと、幅方向に沿う緯糸１０ｂと、を織り込んで形成される。緯糸１０ｂは、幅方向に多数本並ぶ経糸１０ａに対して、少なくとも１本の経糸１０ａの表側に出た後、少なくとも１本の経糸１０ａの裏側に出るように、幅方向に表裏交互に織り込まれる。
【００３０】
幅方向で生地取付部１２からエレメント取付部１１へ向かう緯糸１０ｂは、エレメント取付部１１の端部で折り返される。続いて、緯糸１０ｂは、長手方向にずれた位置で、幅方向でエレメント取付部１１から生地取付部１２へ向かう。エレメント取付部１１から生地取付部１２へ向かう緯糸１０ｂは、生地取付部１２からエレメント取付部１１へ向かう緯糸１０ｂとは異なるパターンで経糸１０ａに織り込まれる。
【００３１】
幅方向でエレメント取付部１１から生地取付部１２へ向かう緯糸１０ｂは、生地取付部１２の端部でループ１０ｄを形成した後に折り返される。続いて、長手方向にずれた位置で、幅方向で生地取付部１２からエレメント取付部１１へ向かう。生地取付部１２の端部の緯糸１０ｂは、長手方向に隣り合う一方のループ１０ｄを他方のループ１０ｄがくぐるように、鎖状に連結される。
【００３２】
メッシュ部１３には、隣り合う経糸１０ａの間隔と隣り合う緯糸１０ｂの間隔の両方が、エレメント取付部１１及び生地取付部１２における、隣り合う経糸１０ａの間隔と隣り合う緯糸１０ｂの間隔よりも大きい間隙部１３ａが形成される。図３の例では、メッシュ部１３は、複数の経糸１０ａ及び複数の緯糸１０ｂがそれぞれ一組となって骨格が形成され、経糸及び緯糸の各組の間に間隙部１３ａが形成される。メッシュ部１３においては、経糸及び緯糸の各組において、最も外側の経糸及び緯糸の交錯密度がそれよりも内側の経糸及び緯糸の交錯密度よりもそれぞれ高い。ここで、交錯密度とは、経糸の場合、ファスナーテープの長手方向に進んで一定回数だけ緯糸を横切る間に浮き沈みにより緯糸と交錯する回数であり、緯糸の場合、ファスナーテープの幅方向に進んで一定回数だけ経糸を横切る間に浮き沈みにより経糸と交錯する回数である。交錯回数が多いほどその交錯密度は高いといえる。
【００３３】
メッシュ部１３の裏側には、光反射材６０が取り付けられる。光反射材６０は、再帰反射性フィルム、蓄光反射製フィルム、銀箔、金箔等、光反射特性を有する薄膜状のものであればよい。光反射材６０は、熱溶着又は接着剤等によってメッシュ部１３の裏面に貼り付けられればよい。光反射材６０は、メッシュ部１３の少なくとも一部に配置されればよいが、メッシュ部１３の全体にわたって配置することが好ましい。光反射材６０がメッシュ部１３の全体にわたって配置された場合、ファスナーテープ１０の表面側から間隙部１３ａを通して目視できるのは、光反射材６０のみである。なお、光反射材６０の代わりに蓄光性を有する蓄光材を取り付けてもよい。
【００３４】
メッシュ部１３に形成された間隙部１３ａは、裏面に取り付けられた光反射材６０において反射される光を、表面側から目視によって確認できる程度の大きさであればよい。
【００３５】
このように、メッシュ部１３の裏側に光反射材６０を取り付けることで、通常時に光が光反射材６０に当たらない時、又は、日中等の周囲が明るい時には、光反射材６０の存在が目立つことはなく、周囲が暗く光反射材６０に光が当たった時には光反射材６０で反射した光を間隙部１３ａから射出する。したがって、周囲が暗い場合であっても、光を当てることで的確にスライドファスナー１が存在することを周囲に知らせることが可能となる。また、光反射材６０は、メッシュ部１３に形成された間隙部１３ａを通して表面側から目視できるものの、ファスナーテープ１０の裏面に取り付けられ、光反射材６０が表面に露出していないので、デザイン性が高く、光反射材６０の汚れ、傷、又は破損等を防ぐことが可能となる。なお、蓄光材を用いた場合には、光を当てなくとも光を発光することができ、光反射材６０と同様の効果を生じさせることが可能となる。
【００３６】
図４は、本考案にかかる第２実施形態のファスナーチェーン２を使用したスライドファスナー１の断面を示す。
【００３７】
第２実施形態のファスナーチェーン２を使用したスライドファスナー１において、ファスナーテープ１０のテープ主体部１５は、二股に分岐する分岐部１４を有する。分岐部１４は、表側テープ部１４ａ及び裏側テープ部１４ｂを有する。また、表側テープ部１４ａは、生地が取り付けられる表側生地取付部１２ａを有し、裏側テープ部１４ｂは、生地が取り付けられる裏側生地取付部１２ｂを有する。また、表側テープ部１４ａは、エレメント取付部１１と表側生地取付部１２ａよりも編み目の間隔が大きいメッシュ部１３を有する。メッシュ部１３は、エレメント取付部１１と表側生地取付部１２ａの間に形成される。表側生地取付部１２ａ及び裏側生地取付部１２ｂは、ファスナーテープ１０の対向側縁部とは反対側の端部に形成される。なお、表側テープ部１４ａは、メッシュ部１３のみで構成されても構わない。メッシュ部１３の裏側であって、裏側テープ部１４ｂの表面には、光反射材６０が接着や縫製等によって取り付けられる。したがって、表側テープ部１４ａと裏側テープ部１４ｂを縫製すると、光反射材６０は、表側テープ部１４ａと裏側テープ部１４ｂの間に挟まれる。この時、光反射材６０は、表側テープ部１４ａに形成されたメッシュ部１３に対応するように配置される。なお、メッシュ部１３及び光反射材６０の構造は、第１実施形態と同様でよい。また、光反射材６０は表側テープ部１４ａの裏面に取り付けてもよい。さらに、裏側テープ部１４ｂの光反射材６０に対応する部分にメッシュ部１３を形成してもよく、裏側テープ部１４ｂはメッシュ部１３のみから構成されても構わない。
【００３８】
このように、メッシュ部１３に対応する位置に光反射材６０を取り付けることで、通常時に光が光反射材６０に当たらない時、又は、周囲が明るい時には、光反射材６０の存在が目立つことはなく、周囲が暗く光反射材６０に光が当たった時には光反射材６０で反射した光を間隙部１３ａから射出する。したがって、周囲が暗い場合であっても、光を当てることで的確にスライドファスナー１が存在することを周囲に知らせることが可能となる。また、光反射材６０は、表側テープ部１４ａと裏側テープ部１４ｂの間に挟まれており、光反射材６０が表面に露出していないので、光反射材６０の汚れ、傷、又は破損等を防ぐことが可能となる。さらに、光反射材６０が裏面にも露出していないので、デザイン性が高く、光反射材６０の汚れ、傷、又は破損等をより防ぐことが可能となる。また、裏側テープ部１４ｂの光反射材６０に対応する部分にメッシュ部１３を形成することで、スライドファスナー１の裏側からも光反射材６０で反射した光を確認でき、裏側テープ部１４ｂの表面に光反射材６０が取り付けられる場合には、より強固に光反射材６０を取り付けることが可能となる。
【００３９】
図５は、本考案にかかる第３実施形態のファスナーチェーン２を使用したスライドファスナー１の断面を示す。
【００４０】
第３実施形態のファスナーチェーン２を使用したスライドファスナー１は、第２実施形態のファスナーエレメント２０をファスナーテープ１０の裏側に配置したものである。このように、ファスナーエレメント２０をファスナーテープ１０の裏側に配置した構造にも使用することができ、製品に取り付ける際の自由度を高くすることが可能となる。
【００４１】
次に、スライドファスナー１を生地７０に取り付ける構造について説明する。
【００４２】
図６は、本考案にかかるスライドファスナー１を生地７０に取り付ける構造の一例を示す。
【００４３】
図６に示す例では、衣服又はバッグ等の製品の生地７０をファスナーテープ１０の表面の表側に縫製している。例えば、表側テープ部１４ａと裏側テープ部１４ｂの間に光反射材６０を挟み、表側生地取付部１２ａ及び裏側生地取付部１２ｂと共に生地７０を縫製すればよい。
【００４４】
図７は、本考案にかかるスライドファスナー１を生地７０に取り付ける構造の他の例を示す。
【００４５】
図７に示す例では、衣服又はバッグ等の製品の生地７０をファスナーテープ１０の表側生地取付部１２ａと裏側生地取付部１２ｂの間に縫製している。例えば、表側テープ部１４ａと裏側テープ部１４ｂの間に光反射材６０を挟み、表側生地取付部１２ａ及び裏側生地取付部１２ｂの間に生地７０を挿入して、縫製すればよい。この時、メッシュ部１３よりも編み目の間隔が小さい表側生地取付部１２ａ及び裏側生地取付部１２ｂに生地を縫製するため、生地への縫着強度が高まる。
【００４６】
図８は、編成により形成されるファスナーテープ１１０の編構造を示す。図９は、図８に示した編構造を得るための各編成糸条の編み組織を示す。
【００４７】
本実施形態のファスナーテープ１１０は、編成により形成されてもよい。編成にあっては、１７本のニードルＮ１〜Ｎ１７と６枚筬が使われており、横紐部分１１０ｂの構成糸条はマーキゼット組織を主体として編成されている。また、図８に示す例によれば、１７本のニードルＮ１〜Ｎ１７のうち、ニードル列方向のそれぞれ左右５本のニードルＮ１〜Ｎ５，Ｎ１３〜Ｎ１７と中央の１本のニードルＮ９が編成に関与し、その中央の１本のニードルを挟んで左右に振り分けられる３本のニードルＮ６〜Ｎ８，Ｎ１０〜Ｎ１２は直接編成には関与していない。
【００４８】
そして、前記編成に関与する全てのニードルＮ１〜Ｎ５，Ｎ１３〜Ｎ１７，及びＮ９には１１本の閉目の鎖編糸１２５により編目が形成され、それぞれに第１〜第５ウェールＷ１〜Ｗ５，第９ウェールＷ９及び第１３〜第１７ウェールＷ１３〜Ｗ１７が形成される。第２〜第４ウェール及び第１４〜第１６の間にかけて、それぞれ編目を作らない３−３／０−０の組織をもって第１及び第２挿入糸１２６，１２７が挿入され、更に第１〜第５ウェールＷ１〜Ｗ５と第１３〜第１７ウェールＷ１３〜Ｗ１７の間にかけて、０−０／５−５の組織をもって編目を作らない第３挿入糸１２８，１２９が挿入されている。
【００４９】
さらに、第１〜第５ウェールＷ１〜Ｗ５、第５〜第９ウェールＷ５〜Ｗ９、第９〜第１３ウェールＷ９〜Ｗ１３、及び第１３〜第１７ウェールＷ１３〜Ｗ１７間には、それぞれ５−５／４−４／５−５／４−４／５−５／４−４／５−５／４−４／５−５／０−０／１−１／０−０／１−１／０−０／１−１／０−０／１−１／０−０の組織と、０−０／１−１／０−０／１−１／０−０／１−１／０−０／１−１／０−０／５−５／４−４／５−５／４−４／５−５／４−４／５−５／４−４／５−５の２つのマーキゼット組織をもって、それぞれの挿入領域の間で交差させて８本の第４〜第１１挿入糸１３０〜１３７が挿入されている。
【００５０】
これらの挿入糸のうち、例えば、第１〜第５ウェールＷ１〜Ｗ５に配される挿入糸によりファスナーテープ１１０のエレメント取付部１１１が形成され、第１３〜第１７ウェールＷ１３〜Ｗ１７に配される挿入糸によりファスナーテープ１１０の生地取付部１１２が形成される。
【００５１】
ファスナーテープ１１０は、幅方向において、その対向側縁部にファスナーエレメント２０が取り付けられるエレメント取付部１１１と、エレメント取付部１１１よりも対向側縁部とは反対側に位置するテープ主体部１１５と、を有する。テープ主体部１１５は、生地が取り付けられる生地取付部１１２と、エレメント取付部１１１と生地取付部１１２よりも編み目の間隔が大きいメッシュ部１１３と、を有する。このメッシュ部１１３の構成組織は、前記マーキゼット組織で配される第５〜第１３ウェールＷ５〜Ｗ１３の第６〜第９挿入糸１３２〜１３５と、第４〜第１４ウェールＷ４〜Ｗ１４間にかけて配される０−０／１−１／０−０／１−１／０−０／１−１／０−０／１−１／０−０／１１−１１／１０−１０／１１−１１／１０−１０／１１−１１／１０−１０／１１−１１／１０−１０／１１−１１のマーキゼット組織をもつ一本のモノフィラメントからなる第１２挿入糸１３８が編目を作らずに挿入されることにより形成される。メッシュ部１１３は、エレメント取付部１１１と生地取付部１１２の間に形成される。生地取付部１１２は、ファスナーテープ１１０の対向側縁部とは反対側の端部に形成される。なお、テープ主体部１１５は、メッシュ部１１３のみで構成されても構わない。
【００５２】
前記４種類のマーキゼット組織により編成される第６〜第９挿入糸１３２〜１３５と第１２挿入糸１３８によってメッシュ部１１３の横紐部分１１０ｂが形成され、上記鎖編糸１２５と、それらの鎖編糸の編目部分で折り返す前記マーキゼット組織で編成される第６〜第９挿入糸１３２〜１３５と第１２挿入糸１３８の折り返し部分によってメッシュ部１１３の縦紐部分１１０ａが形成される。
【００５３】
メッシュ部１１３には、隣り合う編糸１２５の間隔と隣り合う編糸１２５にそれぞれ交差する挿入糸１２６〜１３８が存在する編目間部分１１４の間隔の両方が、エレメント取付部１１１における、隣り合う編糸１２５の間隔と隣り合う編糸１２５にそれぞれ交差する挿入糸１２６〜１３８が存在する編目間部分１１４の間隔よりも大きい間隙部１１３ａが形成される。
【００５４】
以上、本実施形態のファスナーチェーン２によれば、織成あるいは編成により形成される一対のファスナーテープ１０と、各ファスナーテープ１０に所定のピッチ毎にそれぞれ取り付けられた複数のファスナーエレメント２０と、を備え、ファスナーテープ１０は、一対のファスナーテープ１０の対向側縁部に沿ってファスナーエレメント２０が取り付けられるエレメント取付部１１，１１１と、テープ主体部１５，１１５と、を有し、テープ主体部１５，１１５には、隣り合う経糸１０ａの間隔と隣り合う緯糸１０ｂの間隔の両方が、エレメント取付部１１における、隣り合う経糸１０ａの間隔と隣り合う緯糸１０ｂの間隔よりも大きい間隙部１３ａ、あるいは、隣り合う編糸１２５の間隔と隣り合う編糸１２５にそれぞれ交差する挿入糸１２６〜１３８が存在する編目間部分１１４の間隔の両方が、エレメント取付部１１１における、隣り合う編糸１２５の間隔と隣り合う編糸１２５にそれぞれ交差する挿入糸１２６〜１３８が存在する編目間部分１１４の間隔よりも大きい間隙部１１３ａ、を含むメッシュ部１３，１１３が設けられ、メッシュ部１３，１１３の裏側に光反射材６０あるいは蓄光材を配置するので、通常時に光が光反射材６０に当たらない時、又は、日中等の周囲が明るい時には、光反射材６０あるいは蓄光材の存在が目立つことはなく、周囲が暗く光反射材６０に光が当たった時には光反射材６０で反射した光あるいは光が当たらなくとも周囲が暗い時には蓄光材が発光する光を間隙部１３ａから射出する。したがって、周囲が暗い場合であっても、的確にスライドファスナー１が存在することを周囲に知らせることが可能となる。また、光反射材６０あるいは蓄光材が表面に露出していないので、デザイン性が高く、光反射材６０あるいは蓄光材の汚れ、傷、又は破損等を防ぐことが可能となる。
【００５５】
また、本実施形態のファスナーチェーン２によれば、テープ主体部１５，１１５は、生地に取り付けられる生地取付部１２，１１２を有し、メッシュ部１３，１１３は、エレメント取付部１１，１１１と生地取付部１２，１１２の間に設けられるので、光反射材６０あるいは蓄光材の存在をさらに目立たなくさせることが可能となる。また、メッシュ部１３，１１３よりも編み目の間隔が小さい生地取付部１２，１１２に生地を縫製するため、生地への縫着強度が高まる。
【００５６】
また、本実施形態のファスナーチェーン２によれば、光反射材あるいは蓄光材６０は、メッシュ部１３，１１３の全体にわたって配置するので、より的確に光を反射させることが可能となる。
【００５７】
また、本実施形態のファスナーチェーン２によれば、ファスナーテープ１０のテープ主体部１５は、生地取付部１２側が二股に分岐する分岐部１４を有し、分岐部１４は、表側テープ部１４ａと裏側テープ部１４ｂを有し、表側テープ部１４ａは、メッシュ部１３を有するので、光反射材６０が裏面にも露出せず、デザイン性が高く、光反射材６０の汚れ、傷、又は破損等をより防ぐことが可能となる。
【００５８】
また、本実施形態のファスナーチェーン２によれば、表側テープ部１４ａは、生地に取り付けられる表側生地取付部１２ａを有し、メッシュ部１３は、エレメント取付部１１と表側生地取付部１２ａの間に設けられるので、メッシュ部１３よりも編み目の間隔が小さい表側生地取付部１２ａに生地を縫製するため、生地への縫着強度を高めることが可能となる。
【００５９】
また、本実施形態のファスナーチェーン２によれば、裏側テープ部１４ｂは、メッシュ部１３を有するので、スライドファスナー１の裏面からも光反射材６０で反射した光や蓄光材が発光する光を確認できる。
【００６０】
また、本実施形態のファスナーチェーン２によれば、裏側テープ部１４ｂは、生地に取り付けられる裏側生地取付部１２ｂを有し、メッシュ部１３は、エレメント取付部１１と裏側生地取付部１２ｂの間に設けられるので、メッシュ部１３よりも編み目の間隔が小さい裏側生地取付部１２ｂに生地を縫製するため、生地への縫着強度を高めることが可能となる。
【００６１】
また、本実施形態のファスナーチェーン２によれば、光反射材６０あるいは蓄光材は、裏側テープ部１４ｂに取り付けられるので、より強固に光反射材６０あるいは蓄光材を取り付けることが可能となる。
【００６２】
また、本実施形態のスライドファスナー１によれば、前記スライドファスナーチェーン２と、ファスナーテープ１０の長手方向に沿うエレメント列の長手方向の両端に固定される止具４０，５０と、ファスナーエレメント２０を噛合又は分離させるために移動自在なスライダー３０と、を備えるので、通常時に光が光反射材６０に当たらない時、又は、日中等の周囲が明るい時には、光反射材６０あるいは蓄光材の存在が目立つことはなく、周囲が暗く光反射材６０に光が当たった時には光反射材６０で反射した光を、あるいは、光が当たらなくとも周囲が暗い時には蓄光材の光を間隙部１３ａから射出する。したがって、周囲が暗い場合であっても、的確にスライドファスナー１が存在することを周囲に知らせることが可能となる。また、光反射材６０あるいは蓄光材が表面に露出していないので、デザイン性が高く、光反射材６０あるいは蓄光材の汚れ、傷、又は破損等を防ぐことが可能となる。
【００６３】
以上、本考案の種々の実施形態について説明したが、本考案はこれらの実施形態のみに限られるものではなく、それぞれの実施形態の構成を適宜組み合わせて構成した実施形態も本考案の範疇となるものである。
【符号の説明】
【００６４】
１…スライドファスナー
２…ファスナーチェーン
３…ファスナーストリンガー
１０…ファスナーテープ
１１，１１１…エレメント取付部
１５，１１５…テープ主体部
１２，１１２…生地取付部（テープ主体部）
１３，１１３…メッシュ部（テープ主体部）
１３ａ，１１３ａ…間隙部
１４…分岐部
１４ａ…表側テープ部
１４ｂ…裏側テープ部
２０…ファスナーエレメント
４０…上止（止具）
５０…開離嵌挿具（止具）
６０…光反射材あるいは蓄光材
１１４…編目間部分
１２５…鎖編糸（編糸）
１２６〜１３８…挿入糸
【図１】
0003204942.tif 000003
【図２】
0003204942.tif 000004
【図３】
0003204942.tif 000005
【図４】
0003204942.tif 000006
【図５】
0003204942.tif 000007
【図６】
0003204942.tif 000008
【図７】
0003204942.tif 000009
【図８】
0003204942.tif 000010
【図９】
0003204942.tif 000011